(57)【特許請求の範囲】
【請求項１】
動画データを取得する取得手段と、
前記取得手段により取得された動画データを複数の記録媒体に記録する記録手段と、
表示装置に情報を出力する出力手段と、
前記記録手段が、前記取得手段により取得された動画データを前記複数の記録媒体のうち記録先として選択された何れか一つの記録媒体に記録する第１の記録モードと、前記記録手段が、前記取得手段により取得された動画データを前記複数の記録媒体に同時に記録する第２の記録モードとを含む複数のモードの一つを設定する手段と、
前記複数の記録媒体に最後に記録された最終クリップがそれぞれ前記第２の記録モードで記録されていた場合、最終クリップの消去指示に応じて、前記複数の記録媒体の何れかを選択するための選択画面であって、前記複数の記録媒体の記録可能時間の情報が表示された前記選択画面を、前記出力手段により前記表示装置に出力させ、前記複数の記録媒体のうちユーザにより選択された記録媒体から前記最終クリップの動画データを消去するように前記記録手段を制御する制御手段とを備えることを特徴とする記録装置。
【請求項２】
メモリを備え、
前記制御手段は、前記複数の記録媒体に記録された動画データが前記第２の記録モードで記録されたことを識別するためのモード情報と、前記最終クリップの動画データを識別するための最終クリップ情報とを前記メモリに記憶し、前記最終クリップの消去指示に応じて、前記メモリに記憶された前記モード情報と前記最終クリップ情報とに基づいて、前記複数の記録媒体の最終クリップがそれぞれ前記第２の記録モードで記録されているか否かを判別することを特徴とする請求項１に記載の記録装置。
【請求項３】
前記制御手段は、前記複数の記録媒体に最後にそれぞれ記録された最終クリップの少なくとも一つが前記第２の記録モードで記録されていない場合、前記最終クリップの消去指示に応じて、前記第１の記録モードにおける記録先として選択された記録媒体から前記最終クリップの動画データを消去するように前記記録手段を制御することを特徴とする請求項１または２に記載の記録装置。
【発明の詳細な説明】
【技術分野】
【０００１】
本発明は記録装置に関し、特に、複数の記録媒体に同じ動画を同時に記録する記録装置に用いて好適な技術に関する。
【背景技術】
【０００２】
従来、画像信号や音声信号を記録媒体に記録する記録装置が知られている。また、複数の記録媒体に対して同一の画像を同時に記録する機能を有するものがある（例えば、特許文献１参照）。この様に、複数の記録媒体に同じ画像を記録しておくことにより、一部の記録媒体に記録された画像が正しく再生されない場合、他の記録媒体から同じ画像を再生することができる。
【先行技術文献】
【特許文献】
【０００３】
【特許文献１】特開平０７−２３１４２０号公報
【発明の概要】
【発明が解決しようとする課題】
【０００４】
前述の様に、複数の記録媒体に対して同時に記録された画像を消去する場合、ユーザは、各記録媒体から同時に記録された画像を探した後、それぞれ消去する必要があり、大変手間がかかる問題点がある。
【０００５】
また、二つの記録媒体に対して同時に記録した画像のうち、一方の記録媒体から消去し、他方を消去せずに残しておきたい場合も同様に、ユーザは、消去したい画像が記録された記録媒体から画像を再生して同時に記録された画像を探した後、消去する必要があった。
本発明は前述の問題点に鑑み、複数の記録媒体に対して同時に記録した画像データを消去する際に、所望の記録媒体を容易に選択して消去できるようにすることを目的としている。
【課題を解決するための手段】
【０００６】
本発明の記録装置は、動画データを取得する取得手段と、前記取得手段により取得された動画データを複数の記録媒体に記録する記録手段と、表示装置に情報を出力する出力手段と、前記記録手段が、前記取得手段により取得された動画データを前記複数の記録媒体のうち記録先として選択された何れか一つの記録媒体に記録する第１の記録モードと、前記記録手段が、前記取得手段により取得された動画データを前記複数の記録媒体に同時に記録する第２の記録モードとを含む複数のモードの一つを設定する手段と、前記複数の記録媒体に最後に記録された最終クリップがそれぞれ前記第２の記録モードで記録されていた場合、最終クリップの消去指示に応じて、前記複数の記録媒体の何れかを選択するための選択画面であって、前記複数の記録媒体の記録可能時間の情報が表示された前記選択画面を、前記出力手段により前記表示装置に出力させ、前記複数の記録媒体のうちユーザにより選択された記録媒体から前記最終クリップの動画データを消去するように前記記録手段を制御する制御手段とを備えることを特徴とする。
【発明の効果】
【０００７】
本発明によれば、複数の記録媒体に対して同時に記録された画像を、一方の記録媒体から簡単に消去することができる。
【図面の簡単な説明】
【０００８】
【図１】本発明の実施形態に係る記録装置の構成例を示すブロック図である。
【図２】最終クリップ消去処理の一例を示すフローチャートである。
【図３】選択画面の例を示す図である。
【発明を実施するための形態】
【０００９】
以下、本発明の実施形態について図面を参照しながら説明する。
（第１の実施形態）
図１は、本実施形態に係る記録装置１００の構成例を示すブロック図である。
図１において、入力部１０１は、動画データや音声データを取得して出力する。本実施形態では、入力部１０１は記録装置１００の外部から供給された動画データや音声データを入力するが、入力部１０１を撮像部やマイクロフォンを含む構成とし、撮影された動画やマイクにより音声データを取得する構成としてもよい。
【００１０】
制御部１０２は、ユーザインターフェース（ＵＩ）１０３からの入力に応じて記録装置１００の動作全体を制御する。制御部１０２はマイクロコンピュータやメモリ等を含み、不図示のメモリに記憶されたプログラムに従って記録装置１００を制御する。また、制御部１０２は、記録媒体制御部１０６との間でデータやコマンドを通信するための記録媒体インターフェイスを内蔵している。
【００１１】
ＵＩ１０３は、ユーザにより操作可能な各種のスイッチを含む。そして、ＵＩ１０３は、ユーザによる各種の指示などを受理して制御部１０２へ通知する。また、ＵＩ１０３は、電源スイッチや記録の開始、停止を指示するためのスイッチ、記録装置１００のモードを切り替えるためのスイッチ等を含む。
【００１２】
信号処理部１０４は、記録時においては、入力部１０１により入力された動画データや音声データをＭＰＥＧ等の公知の符号化形式に従って符号化して、その情報量を圧縮する。また、動画データや音声データを記録するために必要な処理を施す。また、信号処理部１０４は、再生時においては、再生された動画データや音声データを復号し、その情報量を伸張する。また、信号処理部１０４は、記録時において、符号化された動画データや音声データの符号量（データ量）の情報を制御部１０２に出力する。
【００１３】
メモリ１０５は、動画データや音声データを記憶する。記録装置１００の各ブロックは、メモリ１０５に対してアクセスすることにより、必要な動画データや音声データを処理する。また、メモリ１０５は、動画データや音声データの他に、ファイルシステムの情報や、管理情報など、各種の情報を記憶し、更に、制御部１０２による制御のためのワークメモリ等の役割を果たす。
【００１４】
記録媒体制御部１０６は、記録媒体１０８、１０９に対し、動画データや音声データ、或いは、各種の情報を記録し、再生する。記録媒体制御部１０６は、記録時においては、メモリ１０５に蓄積された動画データや音声データを記録媒体１０８や１０９に記録する。また、記録媒体制御部１０６は、再生時においては、記録媒体１０８や記録媒体１０９から動画データや音声データを再生し、メモリ１０５に記憶する。本実施形態では、記録媒体１０８、１０９は互いに独立した、別の記録媒体として構成され、ハードディスク（ＨＤＤ）、フラッシュメモリカード等、ランダムアクセスの記録媒体である。
【００１５】
また、記録媒体制御部１０６は、記録媒体１０８、１０９に記録する動画、音声データや、各種の情報を、ＦＡＴ（File Allocation Table）等のファイルシステムに従い、ファイルとして管理する。また、記録媒体制御部１０６は、ＡＴＡ（AT Attachment）等の公知のインターフェイス（ＩＦ）を有し、制御部１０２における記録媒体ＩＦとの間でデータや各種のコマンドを通信する。
【００１６】
また、記録媒体制御部１０６は、各記録媒体１０８、１０９が装着されているか否かを検出し、制御部１０２に知らせる。また、不図示の装着、排出機構により、記録装置１００に対して記録媒体１０８、１０９を容易に装着、排出することができるように構成するが、各記録媒体１０８、１０９を記録装置１００に内蔵するか、或いは何れか一方を内蔵する構成でもよい。
【００１７】
制御部１０２は、記録媒体１０８、１０９に対して動画ファイルの書き込み、読み出しを行う場合、記録媒体制御部１０６を制御して、記録媒体１０８、１０９から、ファイルシステムデータ（管理データ）を再生してメモリ１０５に記憶する。このファイルシステムデータは、記録媒体１０８、１０９に記録されたデータのファイル名やファイルのサイズ、データの記録アドレスなどを示すデータであり、ファイルを管理するための管理情報である。そして、制御部１０２は、読み出したファイルシステムデータに従ってファイルの書き込み、読み出しを制御する。
【００１８】
制御部１０２は、記録媒体１０８、１０９へのファイルの書き込みに応じて、メモリ１０５に記憶されたファイルシステムデータを更新する。そして、更新したファイルシステムデータを、記録媒体制御部１０６により記録媒体１０８、１０９に記録する。また、制御部１０２は、記録媒体１０８、１０９に記録された各動画ファイルに関する管理ファイルを生成する。管理ファイルは、各動画ファイルのサイズ（情報量）や、後述の同時記録モードで記録されたことを識別するためのモード情報、或いは、ＵＵＩＤなどの情報を含む。
【００１９】
本実施形態では、記録媒体１０８、１０９に対して記録する動画ファイルに対し、汎用一意識別子（ＵＵＩＤ：Universal Unique IDentifier）を生成する。ＵＵＩＤは、各動画ファイルを一意に識別するための識別情報であり、制御部１０２は、新たに動画ファイルを作成する度に、異なる値のＵＵＩＤを生成する。そして、ＵＵＩＤの情報を各動画ファイルに対応づけて管理ファイルに格納し、各記録媒体１０８、１０９に記録する。そのため、記録媒体１０８、１０９に記録されたＵＵＩＤの値を確認すれば、各動画ファイルを容易に識別することができる。
【００２０】
また、ユーザは、ＵＩ１０３を操作することにより、記録装置１００の動作モードの切り替え、あるいは、動画データの記録開始、停止などを指示することができる。また、本実施形態では、二つの記録媒体１０８、１０９が装着されている場合、ユーザは、ＵＩ１０３を操作して、一方の記録媒体を任意に選択し、この選択した方の記録媒体に対して動画データを記録する。更に、本実施形態では、二つの記録媒体１０８、１０９が装着されている場合には、これら二つの記録媒体１０８、１０９に対して同時に入力された動画データを記録するように指示することも可能である。
【００２１】
また、出力部１０７は、再生された動画データや音声データ、或いは、後述の選択画面などの情報を記録装置１００の外部の表示装置などに出力する。表示制御部１１０は、制御部１０２からの指示により動画や各種の情報を生成し、液晶パネル等の表示部１１１に出力する。データバス１１２は、記録装置１００の各部の間でデータや各種の制御コマンドなどを送受信するために用いられる。
【００２２】
次に、本実施形態における記録動作について説明する。
まず、ＵＩ１０３から動画データの記録モードへ移行する指示を受けると、制御部１０２は記録装置１００を記録待機状態へ遷移し、記録開始の指示を待つ。また、電源投入時、或いは、記録待機状態において、記録媒体制御部１０６より記録媒体１０８、１０９が装着されたことが知らされると、記録媒体制御部１０６に対し、マウント処理を実行する様に指示する。
【００２３】
記録媒体制御部１０６は、マウント処理の指示を受けると、記録媒体１０８、１０９のコントローラと通信を行い、ファイルシステムデータを読み出し、その内容を確認することで、記録媒体１０８、１０９に対して正常に記録再生が可能であることを確認する。このとき、記録媒体１０８、１０９の残量などの情報も確認する。また、記録媒体制御部１０６は、マウント処理において、記録媒体１０８、１０９より、各記録媒体の書き込み速度に関する情報を読み出し、メモリ１０５に記憶する。
【００２４】
また、ファイルシステムデータによる確認処理が完了すると、記録媒体制御部１０６は、各記録媒体１０８、１０９より管理ファイルを読み出して、メモリ１０５に送る。また、記録媒体１０８、１０９が記録装置１００より排出されると、記録媒体制御部１０６はその旨を制御部１０２に知らせる。制御部１０２は、排出された記録媒体に関するファイルシステムデータと管理ファイルをメモリ１０５より消去し、無効とする。
【００２５】
この様に記録媒体１０８、１０９のマウント処理が完了した後、記録待機状態において、入力部１０１から入力された動画データに係る動画を表示部１１１に表示する。ＵＩ１０３から記録開始の指示が入力されると、信号処理部１０４は、入力部１０１により入力されてメモリ１０５に記憶された動画データと音声データを読み出して、動画データと音声データの符号化を開始する。そして、信号処理部１０４により、符号化されたデータをメモリ１０５に記憶する。
【００２６】
本実施形態では、信号処理部１０４により符号化されたデータのデータレートは、記録媒体１０８、１０９に対して記録可能なデータレートよりも低い。そのため、本実施形態では、符号化データを一旦メモリ１０５に記憶する。そして、メモリ１０５に記憶された符号化データのデータ量が第１の所定量に達する毎に、記録媒体制御部１０６は、メモリ１０５から符号化データを読み出して、記録媒体１０８、１０９のうち、ユーザに選択された方の記録媒体に記録する。そして、メモリ１０５に記憶された符号化データが第１の所定量よりも少ない第２の所定量まで減少した時点でメモリ１０５からの符号化データの読み出しを一時停止し、記録媒体１０８、１０９に対する記録処理を中断する。このようにして処理を繰り返す。このとき、ファイルを開いていない場合は、新規に符号化データを記録するファイルを作成して開き、符号化データを動画ファイルとして記録する。
【００２７】
そして、制御部１０２は、記録媒体に対する１回の書き込みが完了する度に、今回書き込まれた符号化データの記録位置などに基づいて、メモリ１０５に記憶されたファイルシステムデータ（管理情報）を更新する。そして、制御部１０２は、記録媒体制御部１０６を制御して、更新されたファイルシステムデータをメモリ１０５から読み出して、記録媒体に記録する。
【００２８】
また、制御部１０２は、記録装置１００の固体番号や、記録日時、予め用意された乱数などを組み合わせ、公知の方法で所定ビット長の数値を持つＵＵＩＤを生成し、メモリ１０５に記憶された管理ファイルに格納する。制御部１０２は、記録開始の指示を受けて、新たに動画ファイルを作成する度に異なる値のＵＵＩＤを生成する。また、後述の様に、二つの記録媒体１０８、１０９に対し、同時に同じデータを記録する場合、各動画ファイルに対して同じ値を持つＵＵＩＤを付加する。
【００２９】
また、制御部１０２は、記録開始の指示を受けて、新たに動画ファイルを作成する度に、この動画ファイルのファイル名、或いはファイル番号の情報を、最終クリップ情報としてメモリ１０５に記憶する。
【００３０】
動画の記録中に、ＵＩ１０３から記録停止の指示を受けた場合は、制御部１０２は信号処理部１０４による動画データの符号化を停止し、記録媒体制御部１０６により記録中のファイルを閉じる。そして、今回、記録開始の指示から記録停止の指示までの間に記録した複数の動画ファイルを、記録した順に再生するように管理ファイル（制御情報）による再生順序を変更し、記録媒体に記録するよう、記録媒体制御部１０６に指示する。本実施形態では、符号化データを複数のファイルに分割して記録した場合に、記録開始の指示から記録停止の指示までの間に記録した一連の動画を記録した複数のファイルを一つのクリップ（シーン）として管理する。このようにして、二つの記録媒体１０８、１０９のうち、選択された記録媒体に対する動画データの記録が行われる。
【００３１】
次に、再生時の処理を説明する。
ＵＩ１０３により再生モードの切り替え指示があると、制御部１０２は、記録媒体制御部１０６に対し、記録媒体１０８、１０９のうち、選択された方の記録媒体に記録された複数のシーンを検出する。そして、各シーンの先頭の動画ファイルを再生し、その先頭の一画面を信号処理部１０４により復号して、メモリ１０５に記憶する。そして、信号処理部１０４により、復号された先頭画面の画像信号を縮小し、各シーンの代表画像を生成する。そして、複数のシーンの代表画像からなるインデックス画面を生成し、表示部１１１に表示する。
【００３２】
ユーザは、ＵＩ１０３を操作して、インデックス画面に表示された代表画像から所望の代表画像を選択し、再生を指示する。制御部１０２は、再生指示があると、選択された代表画像に対応するシーンの１以上の動画ファイルを再生するように、記録媒体制御部１０６を制御する。記録媒体制御部１０６は、指定されたシーンの動画ファイルを記録媒体から再生する。信号処理部１０４は、再生された動画ファイルを復号し、表示制御部１１０に出力すると共に、出力部１０７より外部に出力する。
【００３３】
次に、同時記録について説明する。
本実施形態では記録媒体１０８、１０９の一方を選択し、選択された記録媒体に対して動画ファイルを記録する通常記録モードに加え、同時記録モードを有する。同時記録モードにおいては、二つの記録媒体１０８、１０９に対して、入力部１０１より入力された動画データと音声データとを同時に記録する。この場合、各記録媒体１０８、１０９に対して同じ符号化データを記録するため、各記録媒体でファイル分割されるタイミングは同一となる。従って、記録されるファイルも同一のものとなる。
【００３４】
記録待機状態において、ユーザがＵＩ１０３を操作して、同時記録モードを設定すると、制御部１０２は、二つの記録媒体１０８、１０９を共に記録先の記録媒体として指定する。この状態でユーザがＵＩ１０３を操作して、記録開始の指示を入力すると、制御部１０２は信号処理部１０４を制御し、入力部１０１により入力されてメモリ１０５に記憶された動画データと音声データを読み出して、動画データや音声データの符号化を開始する。信号処理部１０４は、符号化されたデータをメモリ１０５に記憶する。
【００３５】
次に、制御部１０２は、各記録媒体に対して新規に動画ファイルを作成し、各記録媒体に生成した動画ファイルに符号化データを書き込むよう記録媒体制御部１０６に指示する。また、制御部１０２は、ＵＵＩＤを生成し、メモリ１０５の管理ファイルに格納する。記録媒体制御部１０６は、マウント処理の際に各記録媒体から読み出した管理ファイルをそれぞれメモリ１０５に記憶する。そして、同時記録の際には、各記録媒体１０８、１０９の管理ファイルに対してそれぞれＵＵＩＤの情報を格納する。更に、制御部１０２は、同時記録モードで記録された動画ファイルであることを識別するためのモード情報を生成し、各記録媒体１０８、１０９の管理ファイルに対し、それぞれモード情報を記録中の動画ファイルに対応づけて格納する。
【００３６】
この様にして、各記録媒体１０８、１０９に対して動画ファイルの記録が行われる。制御部１０２は、動画ファイルの記録中にＵＩ１０３より記録停止の指示があると、信号処理部１０４による動画と音声の符号化を停止すると共に、記録媒体制御部１０６に対して記録停止を指示する。記録媒体制御部１０６は、記録停止の指示に応じて、各記録媒体１０８、１０９に記録中のファイルを閉じて、記録を停止する。
【００３７】
そして、制御部１０２は、メモリ１０５に記憶された管理ファイルに格納された再生順序の情報を変更する。そして、制御部１０２は、前述の様に、ＵＵＩＤとモード情報を含む管理ファイルを各記録媒体１０８、１０９に記録するよう、記録媒体制御部１０６に指示する。記録媒体制御部１０６は、メモリ１０５より管理ファイルを読み出し、記録媒体１０８、１０９に記録する。
【００３８】
また、制御部１０２は、同時記録モードにおいても、記録開始の指示を受けて、新たに動画ファイルを作成すると、各記録媒体１０８、１０９に作成した動画ファイルのファイル名、或いはファイル番号の情報を検出する。そして、この動画ファイルのファイル名、或いはファイル番号の情報を、各記録媒体１０８、１０９の最終クリップ情報としてメモリ１０５に記憶する。
【００３９】
なお、本実施形態では、制御部１０２は、記録モード（通常記録モードと同時記録モードを含む）から再生モードへの切り替え指示、或いは、電源オフの指示に応じて、メモリ１０５に記憶された最終クリップ情報を消去し、無効としている。また、制御部１０２は、記録媒体１０８、１０９が記録装置１００より排出された場合も、排出された記録媒体に関する最終クリップ情報をメモリ１０５より消去する。
【００４０】
また、本実施形態では、記録待機状態、或いは、再生モードの何れかにおいて、ユーザがＵＩ１０３を操作し、記録媒体１０８、１０９に記録された動画ファイルのうち所望の動画ファイルに対してマークを付加することができる。マーク付加が指示された場合、制御部１０２は、ユーザが選択した動画ファイルのファイル名、或いはファイル番号と、マーク情報とを対応づけてメモリ１０５の管理ファイルに格納する。そして、所定のタイミングでこの管理ファイルを記録媒体１０８、１０９に記録するように記録媒体制御部１０６に指示する。
【００４１】
再生時には、制御部１０２により、管理ファイルに格納されたマーク情報に基づいて、ユーザが指定したファイルを簡単に検索して、ファイル名の情報などを表示部１１１に表示させることができる。
【００４２】
次に、本実施形態における最終クリップの消去処理について説明する。
図２は、最終クリップの消去処理を示すフローチャートである。なお、図２の処理は制御部１０２が各部を制御することにより実行される。
【００４３】
撮影待機状態において、ＵＩ１０３より最終クリップ消去の指示があると、図２の処理が開始される。まず、制御部１０２は、メモリ１０５に各記録媒体１０８、１０９に対応した最終クリップ情報が記憶されているかどうかを検出する（Ｓ２０１）。
【００４４】
両方の記録媒体に対応した最終クリップ情報がメモリ１０５に記憶されていた場合、制御部１０２は、各記録媒体の最終クリップが同時記録モードで記録されたか否かを判別する（Ｓ２０２）。この判別は、メモリ１０５に記憶された最終クリップ情報と各記録媒体の管理ファイルのモード情報とに基づいて行われる。
【００４５】
各記録媒体において、最後に記録された最終クリップが同時記録モードで記録されていた場合、各記録媒体の最終クリップは同時に記録された動画ファイルである。この場合、制御部１０２は、メモリ１０５に記憶された管理ファイルに基づいて、何れかの記録媒体の最終クリップの動画ファイルの情報を検出する（Ｓ２０３）。
【００４６】
そして、制御部１０２は、この最終クリップの動画ファイルの情報からこの動画ファイルのサイズを検出し、各記録媒体から最終クリップの動画ファイルを消去した後の記録可能時間をそれぞれ算出する（Ｓ２０４）。例えば、制御部１０２は、各記録媒体の記録残量に最終クリップの動画ファイルのサイズを加え、これを動画データと音声データのデータレートで割ることにより、記録可能時間を算出する。
【００４７】
次に、制御部１０２は、記録媒体１０８、１０９の一方をユーザに選択させると共に、選択した記録媒体の最終クリップを消去するかどうかを確認するための選択画面を表示部１１１に表示するように表示制御部１１０に指示する（Ｓ２０５）。この際、選択画面には、各記録媒体から最終クリップを消去した後の記録可能時間の情報もあわせて表示する。
【００４８】
選択画面３００の例を図３に示す。
図３に示した選択画面３００においては、表示領域３０１に「同時記録されたクリップが両方のメディアに記録されています。どちらを消去しますか？」と表示している。また、表示領域３０２に、消去後の記録媒体の記録可能時間として、「Ａ：１：００：００」であり、「Ｂ：０：３０：００」であることが表示されている。さらに、消去アイコン３０３、キャンセルアイコン３０４が表示されている。
【００４９】
選択画面３００を表示した後、制御部１０２は、消去指示の有無を判断する（Ｓ２０６）。ユーザがＵＩ１０３を操作して一方の記録媒体を選択後、消去アイコン３０３を選択して消去を指示した場合、制御部１０２は、記録媒体制御部１０６に対し、選択された記録媒体から最終クリップの動画ファイルを消去する様に指示する（Ｓ２０７）。
【００５０】
記録媒体制御部１０６は、指定された最終クリップの動画ファイルを選択された方の記録媒体から消去する。消去が完了すると、制御部１０２は、表示制御部１１０に対し、消去完了を示す画面を表示部１１１に表示する様に指示する（Ｓ２０８）。そして、制御部１０２は、選択した記録媒体に対応した最終クリップ情報をメモリ１０５から消去する（Ｓ２０９）。また、Ｓ２０６で消去指示がなく、キャンセルアイコン３０４を選択してキャンセルの指示があった場合（Ｓ２１０）、最終クリップ消去処理を終了する。
【００５１】
また、Ｓ２０１で、何れか一方の記録媒体に対応した最終クリップ情報しか記録されていない場合、制御部１０２は、この最終クリップ情報に対応する記録媒体を選択する（Ｓ２１５）。ここで、一方の記録媒体だけが装着されて動画が記録された状態、或いは、電源投入後に通常記録モードで一方の記録媒体に対して動画ファイルが記録された状態では、一方の記録媒体の最終クリップ情報しかメモリ１０５に記憶されていない。この様な場合には、制御部１０２は、直前に動画が記録されていた方の記録媒体を選択する。そして、制御部１０２は、選択された記録媒体の最終クリップを消去するかどうかをユーザに確認するための確認画面を表示部１１１に表示するように表示制御部１１０に指示する（Ｓ２１２）。
【００５２】
確認画面を表示した後、制御部１０２は、消去指示の有無を判断する（Ｓ２１３）。ユーザがＵＩ１０３を操作して消去を指示した場合、制御部１０２は、記録媒体制御部１０６に対し、Ｓ２１５で選択された記録媒体から最終クリップの動画ファイルを消去する様に指示する（Ｓ２０７）。記録媒体制御部１０６は、指定された最終クリップの動画ファイルを選択された方の記録媒体から消去する。消去が完了すると、制御部１０２は、表示制御部１１０に対し、消去完了を示す画面を表示部１１１に表示する様に指示する（Ｓ２０８）。そして、制御部１０２は、選択した記録媒体に対応した最終クリップ情報をメモリ１０５から消去する（Ｓ２０９）。また、Ｓ２１３で消去指示がなく、キャンセルの指示があった場合（Ｓ２１４）、最終クリップ消去処理を終了する。
【００５３】
また、Ｓ２０２で、各記録媒体の最終クリップのうち、少なくとも一方の動画ファイルが同時記録モードで記録されていなかった場合、記録媒体１０８、１０９のうち、現在、記録先として選択されている記録媒体を選択する（Ｓ２１１）。ここで、同時記録モードで動画ファイルを記録した後、一方の記録媒体を記録先として選択し、通常記録モードで記録した場合は、一方の記録媒体の最終クリップの動画ファイルが通常記録モードとなっている。また、一方の記録媒体を記録先として選択し、通常記録モードで記録した後、他方の記録媒体に記録先を変更して通常記録モードで記録した場合、各記録媒体の最終クリップの動画ファイルはそれぞれ通常記録モードとなっている。
【００５４】
そのため、この場合には、制御部１０２は、現在、記録先として指定されている方の記録媒体を選択する。そして、制御部１０２は、選択された記録媒体の最終クリップを消去するかどうかをユーザに確認するための確認画面を表示部１１１に表示するように表示制御部１１０に指示する（Ｓ２１２）。
【００５５】
確認画面を表示した後、ユーザがＵＩ１０３を操作して消去を指示すると（Ｓ２１３）、制御部１０２は、記録媒体制御部１０６に対し、Ｓ２１１で選択された記録媒体から最終クリップの動画ファイルを消去する様に指示する（Ｓ２０７）。記録媒体制御部１０６は、指定された最終クリップの動画ファイルを選択された方の記録媒体から消去する。消去が完了すると、制御部１０２は、表示制御部１１０に対し、消去完了を示す画面を表示部１１１に表示する様に指示する（Ｓ２０８）。そして、制御部１０２は、選択した記録媒体に対応した最終クリップ情報をメモリ１０５から消去する（Ｓ２０９）。また、Ｓ２１３で消去指示がなく、キャンセルの指示があった場合（Ｓ２１４）、最終クリップ消去処理を終了する。
【００５６】
この様に、本実施形態では、同時記録モードで二つの記録媒体に対して同時に動画ファイルを記録した後、最終クリップの消去指示があった場合、一方の記録媒体をユーザに選択させるための選択画面を表示する。そして、ユーザが選択した方の記録媒体から最終クリップの動画ファイルを消去する。
そのため、ユーザは、同時記録モードで動画を記録した後、簡単な操作で所望の記録媒体から最終クリップの動画ファイルを消去することができる。
【００５７】
（他の実施形態）
第１の実施形態では、Ｓ２０５で表示する選択画面３００において、各記録媒体の記録可能時間の情報を表示したが、これ以外の情報を表示する様にしてもよい。
例えば、制御部１０２は、マウント処理時にメモリ１０５に記憶されていた書き込み速度の情報に基づいて書き込み速度を検出し、各記録媒体の書き込み速度の情報を選択画面に表示してもよい。記録媒体１０８、１０９としてＣＦカードを用いた場合、ＵＤＭＡ ＭＯＤＥ情報や、ＶＰＧなどの情報を用いることで、書き込み速度を検出することが可能である。ここで、ＵＤＭＡ ＭＯＤＥ情報は、ＣＦカードに存在するＤＭＡの転送速度を基に規格されたＭＯＤＥ情報である。また、ＶＰＧとは、ＣＦカードのＳｐｅｅｄＣｌａｓｓ書込みを保証する情報である。
【００５８】
また、制御部１０２は、各記録媒体の動画ファイルのうち、前述のマーク情報が付加された動画ファイルの数を検出し、各記録媒体に対応したマーク数の情報を選択画面に表示してもよい。
【００５９】
また、一方の記録媒体をユーザに選択させるための選択項目に加え、両方の記録媒体からそれぞれ最終クリップの消去を指示するための選択項目を表示する構成でもよい。例えば、図３の画面に、更に、両方の記録媒体からそれぞれ最終クリップの消去を指示するための選択項目を表示する。これにより、ユーザは、一つの確認画面を用いて、一方の記録媒体、或いは、両方の記録媒体から最終クリップの消去を指示することができる。
【００６０】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００６１】
１００  記録装置、１０１  入力部、１０２  制御部、１０３  ＵＩ、１０４  信号処理部、１０５  メモリ、１０６  記録媒体制御部、１０７  出力部、１０８  記録媒体、１０９  記録媒体、１１０  表示制御部、１１１  表示部、１１２  データバス
【図１】
0005814739.tif 000002
【図２】
0005814739.tif 000003
【図３】
0005814739.tif 000004